(57)【要約】隣合うケースを互いに連結することができるケースを安価に得られ、且つリサイクルが容易な物品収納ケースを提供することを目的とする。そして、この目的を達成するため、上方に開口２を有する直方体形状の物品収納ケース１において、各側壁１ａ，１ａ，１ａ，１ａの開口縁外面に外方へ向けて張り出すフランジ３を形成すると共に、相対向する側壁１ａ，１ａのフランジ３に蟻結合手段４の蟻４ａ、蟻溝４ｂのそれぞれの結合要素を形成した物品収納ケースとした。
2005028321.tif 000002
【特許請求の範囲】
【請求項１】
上方に開口を有する直方体形状の物品収納ケースにおいて、各側壁の開口縁外面に外方へ向けて張り出すフランジを形成すると共に、相対向する側壁のフランジに蟻結合手段の蟻、蟻溝のそれぞれの結合要素を形成したことを特徴とする、物品収納ケース。
【請求項２】
上記蟻結合手段の蟻、蟻溝のそれぞれの結合要素を傾斜させてフランジに形成したことを特徴とする、請求の範囲１に記載の物品収納ケース。
【請求項３】
上記フランジに貫通孔を形成したことを特徴とする、請求の範囲１に記載の物品収納ケース。
【請求項４】
上記フランジに形成した貫通孔が水抜き孔を兼ねていることを特徴とする、請求の範囲３に記載の物品収納ケース。
【請求項５】
上記ケースの底壁の４隅に脚を形成したことを特徴とする、請求の範囲１に記載の物品収納ケース。
【請求項６】
上記ケースの各側壁を下方に向かって内方へ傾斜するように形成すると共に、相対向する側壁に内部に突出するビードを形成し、該ケースを積み重ねた状態において、前記ビードによって側壁内面に画成される下段のケースの凸状部に、前記ビードによって側壁外面に画成される上段のケースの凹状部を嵌合させることによって、上段のケースを下段のケース内に収容し、上段のケースを水平面上で１８０度回転させて下段のケースに積み重ねた場合に、上段のケースの脚の底壁が下段のケースの上記ビードの上壁に載置されるようにしたことを特徴とする、請求の範囲１に記載の物品収納ケース。
【請求項７】
上記ケースの底壁及び／又は脚の底壁に水抜き孔を形成したことを特徴とする、請求の範囲５に記載の物品収納ケース。
【発明の詳細な説明】
【技術分野】  本発明は、物品収納ケースに関し、詳しくは、ケースを並べて互いに連結することができる物品収納ケースに関するものである。
【背景技術】  工場等において、部品を収納して保管・運搬するために、プラスチックによって型成形された物品収納ケースが採用されている。
そして、このような物品収納ケースには、該ケースをパレット上に並べて載置し、更には積み上げてフォークリフトによって運搬する際に、荷崩れを起さないようにケースを互いに連結させる連結手段を備えたものが知られている。
例えば、日本国特開平７−５２９５０号公報に開示されている物品収納ケース（プラスチックコンテナ）では、ケースの側面に連結手段として永久磁石を取り付け、隣合うケースを磁石の磁力によって互いに連結させるようにしている。
また、日本国特開平９−１６９３３９号公報に開示された物品収納ケース（容器）では、ケースの上部開口縁部に連結具を回動自在に取り付け、その連結具に突設したそれぞれの係止部を相手方ケースの上縁及び連結具に係合させるようにしている。
しかしながら、上記した日本国特許文献に記載されたケースでは、いずれもケース本体に別部品である永久磁石、或いは連結具を取り付けなくてはならず、それだけコストアップになると共に、リサイクル時においては、取り付けた永久磁石、或いは連結具を取り外す必要があり、不便であった。
また、一般的に使用されているプラスチックによって型成形された物品収納ケースは、そのケース内に物品が収納されている状態では、相当の重量があるためにケースを風に晒される屋外に置いたとしても、風によって吹き飛ばされることはないが、空の状態のケースの場合には、風に吹き飛ばされる憂いがあり、屋外に空のケースを置く場合には、風に吹き飛ばされないように重りを載せる、或いはロープ等で縛る必要があった。
更に、屋外に置いたケースが雨に晒された場合には、ケース内に水が溜まるため、使用時においては水をケース内から排除する作業が必須になり、特にケース内に物品が収納されている場合には、その中の水のみを排除する作業は極めて煩雑な作業となり、使用作業性が悪いものであった。
また、空のケースを積み上げた状態で保管する場合には、物品を収納している場合と同様に下に位置するケースの開口上縁に上段のケースの底面周縁を載置させるため、嵩張ってしまい、広い保管スペースを必要とするものであった。
更に、一般的なケースは、その底の下面全体が接地する形状を成しているため、収納した物品の重さによる経年変化によって底の中央部が下方に撓んだ場合には、接地状態が悪くなり、平面上に置いた場合にぐらぐらして位置が定まらないことが生じていた。
本発明は、上記した従来の一般的な物品収納ケースが有する種々の課題に鑑み成されたものであって、その目的は、隣合うケースを互いに連結することができるケースを安価に得られ、またケースを安定して固定することができ、更にケース内に雨水等が溜まることなく、また空のケースを保管する場合に嵩張ることなく、また経年変化によって底壁中央部が下方に撓んでも確実な接地が保障される物品収納ケースを提供することにある。
【発明の開示】
上記した課題を解決するため、本発明では、上方に開口を有する直方体形状の物品収納ケースにおいて、各側壁の開口縁外面に外方へ向けて張り出すフランジを形成すると共に、相対向する側壁のフランジに蟻結合手段の蟻、蟻溝のそれぞれの結合要素を形成した物品収納ケースとした。
この本発明に係る物品収納ケースによれば、ケースを互いに連結するための特別な別部品を付加する必要がなく、蟻結合手段の蟻、蟻溝の結合要素をケースに一体に形成すればよいので、製造コストの低減が図れると共に、リサイクルが容易な物品収納ケースを提供できる。
また、本発明では、上記の発明において、上記蟻結合手段の蟻、蟻溝のそれぞれの結合要素をフランジに傾斜させて形成した物品収納ケースとした。
この本発明に係る物品収納ケースによれば、蟻と蟻溝による結合が、傾斜した状態でなされて抜け難いものとなり、より安定した状態で積み重ねることができる物品収納ケースを提供できる。
また、本発明では、上記の発明において、上記フランジに貫通孔を形成した物品収納ケースとした。
この本発明に係る物品収納ケースによれば、貫通孔に棒状部材等を挿入し、該棒状部材の下端を地面に突き刺す、或いはケースを複数段積み重ねられた際の上下方向に並ぶ孔に棒状部材又はロープを挿入し、ケースを上下方向に連結することにより、風による飛散、また荷崩れなどを防止することができる。
また、本発明では、上記の発明において、上記フランジに形成した貫通孔が水抜き孔を兼ねている物品収納ケースとした。
この本発明に係る物品収納ケースによれば、水抜き孔から雨水等を排出することができるので、雨水等を排除する作業を必要とすることなく、運搬に際しても重量の増大を招かない。
また、本発明では、上記の発明において、上記ケースの底壁の４隅に脚を形成した物品収納ケースとした。
この本発明に係る物品収納ケースによれば、脚が接地されるので、経年変化によってケースの底壁中央部が下方に垂れ下がっても、ケースを安定して接地することができる。
また、本発明では、上記の発明において、上記ケースの各側壁を下方に向かって内方へ傾斜するように形成すると共に、相対向する側壁に内部に突出するビードを形成し、該ケースを積み重ねた状態において、前記ビードによって側壁内面に画成される下段のケースの凸状部に、前記ビードによって側壁外面に画成される上段のケースの凹状部を嵌合させることによって、上段のケースを下段のケース内に収容し、上段のケースを水平面上で１８０度回転させて下段のケースに積み重ねた場合に、上段のケースの脚の底壁が下段のケースの上記ビードの上壁に載置されるようにした物品収納ケースとした。
この本発明に係る物品収納ケースによれば、空の状態の下段のケースに上段のケースを積み上げる場合に、上段のケースを下段のケース内に収容して積み上げることができるので、嵩張ることなく保管することができる。
また、本発明では、上記の発明において、上記ケースの底壁及び／又は脚の底壁に水抜き孔を形成した物品収納ケースとした。
この本発明に係る物品収納ケースによれば、水抜き孔から雨水等を排出することができるので、雨水等を排除する作業を必要とすることなく、運搬に際しても重量の増大を招かない。
【図面の簡単な説明】  第１図は本発明に係る物品収納ケースの一例を示した斜視図である。第２図は第１図のＡ−Ａ線に沿う部分の断面図である。第３図は第１図のＢ−Ｂ線に沿う部分の断面図である。第４図は第１図のＣ−Ｃ線に沿う部分の断面図である。第５図は第１図の物品収納ケースの底面図である。第６図は第１図の物品収納ケースを多数並べて互いに結合させた状態を示した斜視図である。第７図は第１図の物品収納ケースを重ねて保管する状態を示した斜視図である。第８図は第７図のＤ−Ｄ線に沿う部分の断面図である。第９図は第１図の物品収納ケースに物品を収納した状態でケースを重ねた状態を示した斜視図である。第１０図は第９図のＥ−Ｅ線に沿う部分の断面図である。第１１図は本発明に係る物品収納ケースの他例を示した図であって、（ａ）は平面図、（ｂ）は正面図、（ｃ）は側面図である。第１２図は第１１図の物品収納ケースを結合させる状態を示した正面図であって、二点鎖線は結合させる手前のケースを示す。第１３図は第１１図の物品収納ケースを結合させて複数積み重ね、その長手方向の結合部において切断した状態を示した一部断面の正面図である。第１４図は本発明に係る物品収納ケースの更に他例を示した図であって、（ａ）は平面図、（ｂ）は正面図、（ｃ）は側面図である。第１５図は第１４図の物品収納ケースを結合させる状態を示した側面図であって、二点鎖線は結合させるケースを示す。第１６図は第１４図の物品収納ケースを結合させて複数積み重ねた状態を示した側面図である。
【発明を実施するための最良の形態】  以下、上記した本発明に係る物品収納ケースの実施の形態を、図面を参照しながら詳細に説明する。
図示した本発明に係る物品収納ケース１は、例えばプラスチックによって一体成形されたもので、第１図に示すように、直方体形状で、上方に開口２を有している。そして、この物品収納ケース１は、開口２の周縁の側壁１ａに外方に向けて延設したフランジ３を各々有し、このフランジ３には、蟻結合手段４のそれぞれの要素である蟻４ａ、及び蟻溝４ｂが形成されている。また、このフランジ３には、適宜な位置に棒状部材５又はロープを挿入し得る水抜き孔を兼ねた貫通孔６が形成されている。
また、上記物品収納ケース１は、それぞれの側壁１ａ，１ａ，１ａ，１ａが、下方に向かって内方へ傾斜するように形成されている。そして、相対向する側壁１ａ，１ａ（本実施の形態では、長辺方向の相対向する側壁１ａ，１ａ）の内面には、内部に突出させた２本のビード７，８がそれぞれ形成され、それらのビード７，８によって、第４図に示したように、側壁１ａの内面に対して突出する凸状部７ａ，８ａ、及び側壁１ａの外面に対して凹んだ凹状部７ｂ，８ｂが画成されている。それらのビード７，８は、第２図に示したように、非対象（本実施の形態では、側壁からの距離、及び幅が異なる）に形成されている。
また、この物品収納ケース１では、底壁１ｂの４隅に脚９が形成されている。そして、第５図に示したように。該ケース１の底壁１ｂ及び脚９の底壁９ａには、水抜き孔１０がそれぞれ形成されている。
上記のように構成された本発明に係る物品収納ケース１は、第１図に示したように、棒状部材５を貫通孔６に挿入し、その下端を地面に突き刺す、或いは複数段積み重ねられた本発明に係る物品収納ケース１の上下方向に並ぶ貫通孔６に、棒状部材５又はロープを挿入して物品収納ケース１を上下方向に連結することにより、風による飛散、また荷崩れなどを防止することができる。
また、上記物品収納ケース１は、第６図に示したように、隣合うケース１のフランジ３に形成した蟻４ａを、他方のケース１のフランジ３に形成した蟻溝４ｂに係合させることによって、容易に互いに強固に連結でき、該ケース１をパレット上に並べて載置し、更には積み上げてフォークリフトによって運搬する際に、荷崩れが生じ難いものとなる。
更に、上記物品収納ケース１，１は、第７図及び第８図に示したように、物品を収納していない空状態の保管時等においては、下段に位置するケース１の凸状部７ａ，８ａに、上段ケース１の凹状部７ｂ，８ｂを嵌合させることによって積み重ねる。この状態においては、上段のケース１が下段のケース１の内部に収容されることとなり、高さ方向に嵩張ることが抑えられる。
また、上記物品収納ケース１，１は、第９図及び第１０図に示したように、下段に位置するケース１に対して、上段のケース１を水平方向に１８０度回転させて、下段に位置するケース１上に載置させる。この状態においては、上段のケース１の脚９の底壁９ａが、下段のケース１のビード７，８の上壁７ｃ，８ｃに載置されることとなり、ケース内部に収納した物品に力が掛からない状態でケース１，１を積み重ねられる。
第１１図（ａ），（ｂ），（ｃ）は、本発明に係る物品収納ケースの他例を示した図である。
この物品収納ケース１１においては、蟻結合手段１４の蟻１４ａ、蟻溝１４ｂのそれぞれの結合要素を、フランジ１３に該ケース１１の長手方向に沿って傾斜させて形成した点、及びビード１７，１８を短辺方向の相対向する側壁１１ａ，１１ａに形成した点が、上記した物品収納ケース１と相違している。その他、符号１２は開口、１６は貫通孔、１９は脚、２０は水抜き孔を各々示す。
この第１１図に示した物品収納ケース１１の場合には、隣合うケース１１，１１の蟻１４ａと蟻溝１４ｂによる結合は、第１２図に示したように、ケースの長手方向斜め上方から挿入することにより成されるものとなり、それにより蟻１４ａと蟻溝１４ｂとが傾斜した状態で結合され、抜け難いものとなる。特に、下段に位置するケース１１に対して、上段のケース１１を水平方向に１８０度回転させて、下段に位置するケース１１上に載置させる物品を収納した状態における積み重ね状態では、隣合うケース１１，１１の蟻１４ａと蟻溝１４ｂによる結合が、第１３図に示したように、上下でその抜き方向が交互に異なるものとなり、荷崩れが生じ難い結合を実現できる。
第１４図（ａ），（ｂ），（ｃ）は、本発明に係る物品収納ケースの更に他例を示した図であり、この物品収納ケース２１においては、蟻結合手段２４の蟻２４ａ、蟻溝２４ｂのそれぞれの結合要素を、フランジ２３に該ケース２１の短手方向に沿って傾斜させて形成した点のみが、上記した物品収納ケース１１と相違している。その他、符号２２は開口、２６は貫通孔、２７，２８はビード、２９は脚、３０は水抜き孔を各々示す。
この第１４図に示した物品収納ケース２１の場合には、隣合うケース２１，２１の蟻２４ａと蟻溝２４ｂによる結合は、第１５図に示したように、ケースの短手方向斜め上方から挿入することにより成される。そして、物品を収納した状態における積み重ね状態では、隣合うケース２１，２１の蟻２４ａと蟻溝２４ｂによる結合が、第１６図に示したように、やはり上下でその抜き方向が交互に異なるものとなり、フォークリフト等による運搬に際して積み重ねたケースが左右に揺れても、蟻２４ａと蟻溝２４ｂによる結合は抜け難く、上記した物品収納ケース１１の場合と同様に、荷崩れが生じ難いものとなる。
以上、本発明に係る物品収納ケースの実施の形態を説明したが、本発明は、何ら既述の実施の形態に限定されず、請求の範囲に記載した本発明の技術的思想の範囲内において、種々の変形及び変更が可能である。
例えば、上記実施の形態においては、４方向全てのフランジに蟻結合手段を形成したが、長辺方向のフランジにのみ蟻結合手段を形成し、短辺方向のフランジは取っ手として利用しても良い。また、ケースの４隅に形成する脚は、ケースの底壁を凹ませて一体的に形成しても、またケースの底壁は平面とし、脚のみを下方に突出させて形成しても良い。更に、蟻結合手段の蟻、蟻溝のそれぞれの結合要素をフランジに傾斜させて形成するにあたり、上記した実施の形態においては、ケースの長手方向に沿って、或いはケースの短手方向に沿って傾斜させた実施の形態を示したが、何らこれらの方向に限定されるものではない。また、本発明に係る物品収納ケースは、工場等における部品を収納するケースばかりでなく、ビール瓶を収納するケース、更には野菜を収納するケース等、収容する物品の種類は何ら問わない。また、材質も何ら限定されず、プラスチック製、木製、金属製等の種々の材料を利用して本発明に係る物品収納ケースを製造することができる。
産業の利用可能性
以上、説明した本発明に係る物品収納ケースは、隣合うケースの一方のケースのフランジに形成した蟻を他方のケースのフランジに形成した蟻溝に係合させることによって、容易に互いに強固に連結でき、該ケースをパレット上に並べて載置し、更には積み上げてフォークリフトによって運搬する際に、荷崩れが生じ難いものとなる。そのため、工場等における部品を収納するケース、ビール瓶を収納するケース、更には野菜を収納するケース等に、幅広く使用できるケースとなる。
【図１】
2005028321.tif 000003
【図２】
2005028321.tif 000004
【図３】
2005028321.tif 000005
【図４】
2005028321.tif 000006
【図５】
2005028321.tif 000007
【図６】
2005028321.tif 000008
【図７】
2005028321.tif 000009
【図８】
2005028321.tif 000010
【図９】
2005028321.tif 000011
【図１０】
2005028321.tif 000012
【図１１】
2005028321.tif 000013
【図１２】
2005028321.tif 000014
【図１３】
2005028321.tif 000015
【図１４】
2005028321.tif 000016
【図１５】
2005028321.tif 000017
【図１６】
2005028321.tif 000018
【国際調査報告】
2005028321.tif 000019
2005028321.tif 000020
2005028321.tif 000021
2005028321.tif 000022